(57)【要約】【課題】  多様な対象物のサイズに調整可能なフィルター構造体を提供する。【解決手段】  フィルター構造体１は、正方形状のフィルター本体２と、粘着部３とを備える。粘着部３は、フィルター本体２の一方面において、粘着剤が塗布されて形成される。又、粘着部３は、一定幅の帯状に形成され、格子形状を有する第１の格子部３１、第２の格子部３２、第３の格子部３３及び第４の格子部３４を含む。第１の格子部３１は、第１領域Ｒ１に配置され、第１領域Ｒ１の外周から一定幅未満の位置を外縁として、３×３マスの格子形状に塗布されて９つの区画が形成される。９つの区画の幅は、中心側、外方側及び真ん中の順で大きくなるように設定される。第２の格子部は、第２線に対し、第１の格子部と対称に形成される。第３の格子部及び第４の格子部は、それぞれ、第１線に対し、第１の格子部及び第２の格子部と対称に形成される。【選択図】  図１
2020116581.tif 000002
【特許請求の範囲】
【請求項１】
一部を切り取ったものを又は全部を対象物に貼着して、通過する気体をろ過するためのフィルター構造体であって、
平面視において第１方向及び前記第１方向に直交する第２方向に延びる直角四角形状のシート状よりなるフィルター本体と、
前記フィルター本体の一方面において、粘着剤が塗布されて形成された粘着部とを備え、
前記粘着部は、一定幅の帯状に形成され、
前記直角四角形状を、前記直角四角形状の第１方向の中心を通る第１線及び第２方向の中心を通る第２線で４等分した４領域のうちの第１領域に配置され、前記第１領域の外周から前記一定幅未満の位置を外縁として、前記第１方向及び前記第２方向に延びる３×３マスの格子形状に塗布されて９つの区画が形成され、前記９つの区画の第１方向幅及び第２方向幅の少なくとも一方は、それぞれ、中心側、外方側及び真ん中の順で大きくなるように設定されている第１の格子部と、
前記第２線に対し、第１の格子部と対称に形成される第２の格子部と、
前記第１線に対し、前記第１の格子部及び前記第２の格子部とそれぞれ対称に形成される第３の格子部及び第４の格子部とを含む、フィルター構造体。
【請求項２】
前記直角四角形状は正方形であり、
前記第１の格子部の外方側端から前記第２の格子部の外方側端までの幅は、３００．０ｍｍであり、
前記一定幅は、８．０ｍｍ、
前記第１の格子部と前記第２の格子部との間の幅は、５．０ｍｍ、
前記第１の格子部の前記区画の第１方向幅は、中心側、外方側及び真ん中について、それぞれ、３５．５ｍｍ、３８．０ｍｍ及び４２．０ｍｍｍに設定されている、請求項１記載のフィルター構造体。
【請求項３】
更に、前記粘着部は、
前記格子形状の帯状の少なくとも一部に重なり合うようにして設けられ、フィルター構造体の取り換え時期を示す標識状に粘着剤が塗布された標識部と、
前記標識部の周囲に設けられ、粘着剤が塗布されていない輪郭部とを含む、請求項１又は請求項２記載のフィルター構造体。
【請求項４】
一部を切り取ったものを又は全部を対象物に貼着して、通過する気体をろ過するためのフィルター構造体であって、
シート状に形成されるフィルター本体と、
前記フィルター本体の一方面の一部において粘着剤が塗布されてなる粘着部と、
フィルター構造体の取り換え時期を示す標識状に粘着剤が塗布された標識部と、
前記粘着部と前記標識部との間に４ｍｍ以上の幅で設けられ、粘着剤が塗布されていない非粘着部とを備える、フィルター構造体。
【発明の詳細な説明】
【技術分野】
【０００１】
この発明はフィルター構造体に関し、特に、全部又は一部を切り取って対象物に貼着して、通過する気体をろ過するためのフィルター構造体に関するものである。
【背景技術】
【０００２】
従来、室内換気用の換気口の埃汚れを防止する換気口用フィルターとして様々なものが提案されている。
【０００３】
例えば、特許文献１には、換気口用フィルターとして、不織布に透明の粘着剤を部分的に塗布したものからなり、粘着剤が塗布された面を換気口に貼り付けて使用するものが提案されている。又、特許文献１の換気口用フィルターでは、換気口に貼り付けて使用を継続すると、粘着剤が塗布されていない通気性のある部分の不織布には汚れが付着し、その部分が黒く変色していく。一方、粘着剤が塗布された部分の不織布には汚れが付着しにくくなるため、その部分が白く浮き上がり、換気口用フィルターが取替え時であることが示される。
【０００４】
又、特許文献１では、輪状に塗布された粘着剤に沿って円形に切り取ったり、矩形の枠状に塗布された粘着剤に沿って矩形に切り取ったりすることで、換気口の大きさに合わせたサイズ調整が提案されている。
【０００５】
他にも次のようなフィルター構造体が提案されている。
【０００６】
図１３は、従来のフィルター構造体の模式的な外観形状を示した部分平面図である。同図を参照して、更に矩形の枠の数、すなわち格子の数を増加させたような換気口用フィルターも提案されている。
【先行技術文献】
【特許文献】
【０００７】
【特許文献１】意匠登録第１４８３１３６号公報
【発明の概要】
【発明が解決しようとする課題】
【０００８】
しかしながら、図１３に示すような従来のフィルター構造体では、例えば、全体のほぼ幅Ｗ１０９の状態で使用したり、格子の帯に沿って一部を切り取って幅Ｗ１３２、Ｗ１３３又はＷ１３４で使用したりすることが考えられるが、各格子の区画の幅Ｗ１２０は、均一に設定されており、切り取った幅が換気口の大きさに調整しきれないことがあった。
【０００９】
この発明は、上記のような課題を解決するためになされたもので、切り取り方に応じてその幅を異ならせることができ、多様な対象物のサイズに調整可能なフィルター構造体を提供することを目的とする。
【課題を解決するための手段】
【００１０】
上記の目的を達成するために、請求項１記載の発明は、一部を切り取ったものを又は全部を対象物に貼着して、通過する気体をろ過するためのフィルター構造体であって、平面視において第１方向及び第１方向に直交する第２方向に延びる直角四角形状のシート状よりなるフィルター本体と、フィルター本体の一方面において、粘着剤が塗布されて形成された粘着部とを備え、粘着部は、一定幅の帯状に形成され、直角四角形状を、直角四角形状の第１方向の中心を通る第１線及び第２方向の中心を通る第２線で４等分した４領域のうちの第１領域に配置され、第１領域の外周から一定幅未満の位置を外縁として、第１方向及び第２方向に延びる３×３マスの格子形状に塗布されて９つの区画が形成され、９つの区画の第１方向幅及び第２方向幅の少なくとも一方は、それぞれ、中心側、外方側及び真ん中の順で大きくなるように設定されている第１の格子部と、第２線に対し、第１の格子部と対称に形成される第２の格子部と、第１線に対し、第１の格子部及び第２の格子部とそれぞれ対称に形成される第３の格子部及び第４の格子部とを含むものである。
【００１１】
このように構成すると、各区画の幅を等幅にした場合と比べて、第１の格子部内で左側２つに切り取る場合と右側２つに切り取る場合の切り取り幅や、第１の格子部と第２の格子部とに亘って切り取る場合の間で切り取り幅等を異ならせたり、ほぼ均等にしたりすることができる。
【００１２】
請求項２記載の発明は、請求項１記載の発明の構成において、直角四角形状は正方形であり、第１の格子部の外方側端から第２の格子部の外方側端までの幅は、３００．０ｍｍであり、一定幅は、８．０ｍｍ、第１の格子部と第２の格子部との間の幅は、５．０ｍｍ、第１の格子部の区画の第１方向幅は、中心側、外方側及び真ん中について、それぞれ、３５．５ｍｍ、３８．０ｍｍ及び４２．０ｍｍｍに設定されているものである。
【００１３】
このように構成すると、区画２つ分、区画３つ分及び区画４つ分の切り取りで、よく用いられる１０ｃｍ、１５ｃｍ及び２０ｃｍサイズに極力近いサイズのものが得られる。
【００１４】
請求項３記載の発明は、請求項１又は請求項２記載の発明の構成において、更に、粘着部は、格子形状の帯状の少なくとも一部に重なり合うようにして設けられ、フィルター構造体の取り換え時期を示す標識状に粘着剤が塗布された標識部と、標識部の周囲に設けられ、粘着剤が塗布されていない輪郭部とを含むものである。
【００１５】
このように構成すると、使用に伴い、標識部の周囲の粘着剤が塗布されていない間隙部に埃や油が付着する。
【００１６】
請求項４記載の発明は、一部を切り取ったものを又は全部を対象物に貼着して、通過する気体をろ過するためのフィルター構造体であって、シート状に形成されるフィルター本体と、フィルター本体の一方面の一部において粘着剤が塗布されてなる粘着部と、フィルター構造体の取り換え時期を示す標識状に粘着剤が塗布された標識部と、粘着部と標識部との間に４ｍｍ以上の幅で設けられ、粘着剤が塗布されていない非粘着部とを備えるものである。
【００１７】
このように構成すると、使用に応じて標識部の周囲に埃汚れが付着し易くなる。
【発明の効果】
【００１８】
以上説明したように、請求項１記載の発明は、切り取り方に応じてその幅を異ならせたり、ほぼ均等にしたりすることができるため、多様な対象物のサイズに調整可能である。
【００１９】
請求項２記載の発明は、請求項１記載の発明の効果に加えて、切り取りの際、よく用いられる１０ｃｍ、１５ｃｍ及び２０ｃｍサイズに極力近いサイズのものが得られるため、これら各種サイズとの差のバラツキが抑制できる。
【００２０】
請求項３記載の発明は、請求項１又は請求項２記載の発明の効果に加えて、使用に伴い、標識部の周囲の粘着剤が塗布されていない間隙部に埃や油が付着するので、使用が進むと標識部が埃や油によって浮き上がり、フィルター構造体の取り換え時期を示すことができる。
【００２１】
請求項４記載の発明は、使用に応じて標識部の周囲に埃汚れが付着し易くなるので、使用が進むと標識部が埃や油によって浮き上がり易くなり、フィルター構造体の取り換え時期を示すことができる。
【図面の簡単な説明】
【００２２】
【図１】この発明の第１の実施の形態によるフィルター構造体の外観形状を示した平面図である。
【図２】図１に示すフィルター構造体を、矢印ＩＩ方向視した正面図である。
【図３】図１におけるＩＩＩ−ＩＩＩラインの端面図である。
【図４】図１に示すフィルター構造体の寸法関係を示す部分平面図である。
【図５】図１に示すフィルター構造体の寸法関係を示す他の部分平面図である。
【図６】フィルター構造体を２区画で切り取る場合の切り取りパターンを例示する図である。
【図７】フィルター構造体を３区画で切り取る場合の切り取りパターンを例示する図である。
【図８】フィルター構造体を４区画で切り取る場合の切り取りパターンを例示する図である。
【図９】図１に示したＰ１部分の拡大図である。
【図１０】図１に示したＰ２部分の拡大図である。
【図１１】使用後のフィルター構造体の外観を示す背面図である。
【図１２】非粘着部の幅と汚れの付着し易さの関係について説明する模式図であり、（ａ）は、非粘着部の幅を４ｍｍ以上に設定した場合を示し、（ｂ）は、非粘着部の幅を４ｍｍ未満に設定した場合を示す。
【図１３】従来のフィルター構造体の模式的な外観形状を示した部分平面図である。
【発明を実施するための形態】
【００２３】
図１は、この発明の第１の実施の形態によるフィルター構造体の外観形状を示した平面図であり、図２は、図１に示すフィルター構造体を、矢印ＩＩ方向視した正面図であり、図３は、図１におけるＩＩＩ−ＩＩＩラインの端面図であり、図４は、図１に示すフィルター構造体の寸法関係を示す部分平面図である。
【００２４】
これらの図を参照して、フィルター構造体１は、一部を切り取ったものを又は全部を換気口等の対象物に貼着して、通過する気体をろ過するためのものであり、フィルター本体２と、粘着部３とを備える。
【００２５】
フィルター本体２は、可撓性を有する不織布等により構成されており、平面視において第１方向Ｘ及び第１方向Ｘに直交する第２方向Ｙに延びる正方形状のシート状に形成される。
【００２６】
粘着部３は、フィルター本体２の一方面において、粘着剤（アクリル系粘着剤等）が塗布されて形成される。
【００２７】
又、粘着部３は、一定幅Ｗ１、Ｗ２＝８．０ｍｍの帯状に形成され、格子形状を有する４つの格子部、すなわち第１の格子部３１、第２の格子部３２、第３の格子部３３及び第４の格子部３４を含む。
【００２８】
具体的には、第１の格子部３１は、フィルター本体２の直角四角形状を、当該直角四角形状の第１方向の中心を通る第１線Ｈ及び第２方向の中心を通る第２線Ｖで４等分した４領域のうちの第１領域Ｒ１に配置される。又、第１の格子部３１では、第１領域Ｒ１の外周から一定幅Ｗ１、Ｗ２未満の位置を外縁として、第１方向Ｘ及び第２方向Ｙに延びる３×３マスの格子形状に塗布されて９つの区画が形成される。より詳細には、第１の格子部３１の外縁の位置は、第１領域Ｒ１の外周から約２．５ｍｍの位置（Ｗ５）に設定されている。
【００２９】
９つの区画の第１方向幅は、外方側Ｗ１１、真ん中Ｗ１２及びフィルター本体２の中心側Ｗ１３について、それぞれ、３８．０ｍｍ、４２．０ｍｍ及び３５．５ｍｍに設定されている。
【００３０】
又、９つの区画の第２方向幅も、同様に、外方側Ｗ２１、真ん中Ｗ２２及びフィルター本体２の中心側Ｗ２３について、それぞれ、３８．０ｍｍ、４２．０ｍｍ及び３５．５ｍｍに設定されている。
【００３１】
このように、９つの区画の第１方向幅は、中心側Ｗ１３、外方側Ｗ１１及び真ん中Ｗ１２の順で大きくなるように設定されている。又、９つの区画の第２方向幅は、中心側Ｗ２３、外方側Ｗ２１及び真ん中Ｗ２２の順で大きくなるように設定されている。
【００３２】
第２の格子部３２は、第２線Ｖに対し、第１の格子部３１と対称に形成される。
【００３３】
第１の格子部３１と第２の格子部３２との間の幅Ｗ７は、５．０ｍｍに設定されている。又、第２方向Ｙに関し、第１の格子部３１の外方側端から第２の格子部３２の外方側端までの幅Ｗ９は、３００．０ｍｍに設定されている。
【００３４】
第３の格子部３３及び第４の格子部３４は、第１線Ｈに対し、第１の格子部３１及び第２の格子部３２とそれぞれ対称に形成される。
【００３５】
このように構成すると、各区画の幅を等幅にした場合と比べて、第１の格子部内で左側２つに切り取る場合と右側２つに切り取る場合の切り取り幅や、第１の格子部と第２の格子部とに亘って切り取る場合の間で切り取り幅等を異ならせたり、ほぼ均等にしたりすることができる。
【００３６】
このため、切り取り方に応じてその幅を異ならせることができ、多様な対象物のサイズに調整可能である。
【００３７】
特に、このようなフィルター構造体は、換気口の各種サイズ的に１０ｃｍ、１５ｃｍ、２０ｃｍ、３０ｃｍのサイズに切り取れることが望ましい。そこで、フィルター構造体１の切り取りサイズについて検討すると次の通りである。
【００３８】
図５は、図１に示すフィルター構造体の寸法関係を示す他の部分平面図である。
【００３９】
図５に加えて図４も参照して、全く切り取らずにフィルター構造体を全体で使用する場合、その幅はおよそＷ９＝３００．０ｍｍである。
【００４０】
次に、帯状の部分を含めて第１の格子部の外方側から２区画で切り取る場合、その幅Ｗ３２は、１０４．０ｍｍ（＝Ｗ２＋Ｗ２１＋Ｗ２＋Ｗ２２＋Ｗ２＝８．０＋３８．０＋８．０＋４２．０＋８．０）である。
【００４１】
次に、帯状の部分を含めて第１の格子部の外方側から３区画で切り取る場合、その幅Ｗ３３は、１４７．５ｍｍ（＝Ｗ２＋Ｗ２１＋Ｗ２＋Ｗ２２＋Ｗ２＋Ｗ２３＋Ｗ２＝８．０＋３８．０＋８．０＋４２．０＋８．０＋３５．５＋８．０）である。
【００４２】
次に、帯状の部分を含めて第１の格子部の外方側から４区画で切り取る場合、その幅Ｗ３４は、２０４．０ｍｍ（＝Ｗ２＋Ｗ２１＋Ｗ２＋Ｗ２２＋Ｗ２＋Ｗ２３＋Ｗ２＋Ｗ７＋Ｗ２＋Ｗ２４＋Ｗ２＝８．０＋３８．０＋８．０＋４２．０＋８．０＋３５．５＋８．０＋５．０＋８．０＋３５．５＋８．０）である。
【００４３】
ここで、図１３を参照して、各区画の幅を等幅にした構成について検討すると次の通りである。尚、以下では、第１の格子部１３１の外方側端から第２の格子部１３２の外方側端までの幅Ｗ１０９＝３００．０ｍｍ（＝Ｗ９）を前提とする。又、帯状の部分の幅Ｗ１０２＝８．０ｍｍとし、第１の格子部１３１と第２の格子部１３２との間の幅はＷ１０７＝５．０ｍｍとする。そうすると、各区画の幅Ｗ１２０＝３８．５ｍｍとなる。
【００４４】
全く切り取らずにフィルター構造体を全体で使用する場合、その幅はおよそＷ１０９＝３００．０ｍｍである。
【００４５】
次に、帯状の部分を含めて第１の格子部の外方側から２区画で切り取る場合、その幅Ｗ１３２は、１０１．０ｍｍ（＝Ｗ１０２＋Ｗ１２０＋Ｗ１０２＋Ｗ１２０＋Ｗ１０２＝８．０＋３８．５＋８．０＋３８．５＋８．０）である。
【００４６】
次に、帯状の部分を含めて第１の格子部の外方側から３区画で切り取る場合、その幅Ｗ１３３は、１４７．５ｍｍ（＝Ｗ１０２＋Ｗ１２０＋Ｗ１０２＋Ｗ１２０＋Ｗ１０２＋Ｗ１２０＋Ｗ１０２＝８．０＋３８．５＋８．０＋３８．５＋８．０＋３８．５＋８．０）である。
【００４７】
次に、帯状の部分を含めて第１の格子部の外方側から４区画で切り取る場合、その幅Ｗ１３４は、２０７．０ｍｍ（＝Ｗ１０２＋Ｗ１２０＋Ｗ１０２＋Ｗ１２０＋Ｗ１０２＋Ｗ１２０＋Ｗ１０２＋Ｗ１０７＋Ｗ１０２＋Ｗ１２０＋Ｗ１０２＝８．０＋３８．５＋８．０＋３８．５＋８．０＋３８．５＋８．０＋５．０＋８．０＋３８．５＋８．０）である。
【００４８】
本実施の形態に係るフィルター構造体１と、各区画の幅を等幅にした構成とを比較すると次の通りとなる。
【００４９】
まず、全体の場合及び３区画の場合では、本実施の形態に係るフィルター構造体１と、各区画の幅を等幅にした構成との間で、サイズに相違はない。
【００５０】
２区画の場合は、本実施の形態に係るフィルター構造体１の幅Ｗ３２＝１０４．０ｍｍであるのに対し、各区画の幅を等幅にした構成の幅Ｗ１３２＝１０１．０ｍｍであり、各区画の幅を等幅にした構成のほうが１０ｃｍ幅に近くなる。
【００５１】
しかしながら、４区画の場合は、本実施の形態に係るフィルター構造体１の幅Ｗ３４＝２０４．０ｍｍであるの対し、各区画の幅を等幅にした構成の幅Ｗ１３４＝２０７．０ｍｍとなり、各区画の幅を等幅にした構成のほうが２０ｃｍ幅よりも大きく外れることになる。
【００５２】
以上のように、区画２つ分、区画３つ分及び区画４つ分の切り取りで、よく用いられる１０ｃｍ、１５ｃｍ及び２０ｃｍに極力近いサイズのものが得られる。すなわち、よく用いられるような種類のサイズのものから大きく外れることが抑えられる。
【００５３】
よって、よく用いられるような種類のサイズに対するサイズ差のバラツキが抑制できる。
【００５４】
以下、各区画数で切り取る場合の好ましい切り取りパターンのバリエーションについて説明する。
【００５５】
図６は、フィルター構造体を２区画で切り取る場合の切り取りパターンをを例示する図であり、図７は、フィルター構造体を３区画で切り取る場合の切り取りパターンをを例示する図であり、図８は、フィルター構造体を４区画で切り取る場合の切り取りパターンをを例示する図である。
【００５６】
まず、図６を参照して、２区画で切り取る場合の切り取りパターンとしては例えば以下が挙げられる。すなわち、
（Ｔ２１）：第１領域Ｒ１の外方側の角から２区画分切り取るパターン；
（Ｔ２２）：第１領域Ｒ１のフィルター本体２の中心側の角から２区画分切り取るパターン；
（Ｔ２３）：第２領域Ｒ２の外方側の角から２区画分切り取るパターン；
（Ｔ２４）：第２領域Ｒ２のフィルター本体２の中心側の角から２区画分切り取るパターン；
（Ｔ２５）：第３領域Ｒ３の外方側の角から２区画分切り取るパターン；
（Ｔ２６）：第３領域Ｒ３のフィルター本体２の中心側の角から２区画分切り取るパターン；
（Ｔ２７）：第４領域Ｒ４の外方側の角から２区画分切り取るパターン；及び、
（Ｔ２８）：第４領域Ｒ４のフィルター本体２の中心側の角から２区画分切り取るパターン
の８つである。
【００５７】
次に、図７を参照して、３区画で切り取る場合の切り取りパターンとしては例えば以下が挙げられる。すなわち、
（Ｔ３１）：第１領域Ｒ１の外方側の角から３区画分切り取るパターン；
（Ｔ３２）：第２領域Ｒ２の外方側の角から３区画分切り取るパターン；
（Ｔ３３）：第３領域Ｒ３の外方側の角から３区画分切り取るパターン；及び、
（Ｔ３４）：第４領域Ｒ４の外方側の角から３区画分切り取るパターン
の４つである。
【００５８】
次に、図８を参照して、４区画で切り取る場合の切り取りパターンとしては例えば以下が挙げられる。すなわち、
（Ｔ４１）：第１領域Ｒ１の外方側の角から４区画分切り取るパターン；
（Ｔ４２）：第２領域Ｒ２の外方側の角から４区画分切り取るパターン；
（Ｔ４３）：第３領域Ｒ３の外方側の角から４区画分切り取るパターン； 
（Ｔ４４）：第４領域Ｒ４の外方側の角から４区画分切り取るパターン；及び、
（Ｔ４５）：フィルター本体２の中心部から上下左右に２区画分ずつ切り取るパターン
の５つである。
【００５９】
以上に示したようにフィルター構造体１は、多様な対象物のサイズに調整可能である。
【００６０】
続いて、粘着部３の構成について更に説明する。
【００６１】
図９は、図１に示したＰ１部分の拡大図であり、図１０は、図１に示したＰ２部分の拡大図である。
【００６２】
まず、図９に加えて図１を参照して、粘着部３には、フィルター本体２の正方形状のほぼ対角線上の位置であって第１の格子部３１〜第４の格子部３４の格子形状の交差部分に重なり合うようにして設けられ、フィルター構造体の取り換え時期を示すハート形状に粘着剤が塗布されたハート形状標識部５と、ハート形状標識部５の周囲に設けられ、粘着剤が塗布されていない輪郭部（非粘着部）６とを含む。尚、第１の格子部３１〜第４の格子部３４の各部において、ハート形状標識部は、それぞれ２つずつ（１対）含まれる。又、各部における１対のハート形状標識部は、互いにその凸部が対向するような位置関係で配置される。更に、図９を参照して、ハート形状標識部（標識部）５の凸部５ａは、第２の格子部３２の格子形状の交差部分３２ａから格子形状の中心部側に突出するように配置される。
【００６３】
輪郭部６は、格子形状とハート形状標識部５とがＤ１＝４ｍｍ以上離間するように設けられる。
【００６４】
次に、図１０に加えて図１を参照して、粘着部３には、第１の格子部３１〜第４の格子部３４の格子形状に対し交差するように重なり合うようにして設けられ、フィルター構造体の取り換え時期を示す文字列状に粘着剤が塗布された文字列状標識部（標識部）７と、文字形状標識部７の周囲に設けられ、粘着剤が塗布されていない輪郭部（非粘着部）８とを含む。
【００６５】
文字列状標識部７は、“とりかえてネ”の６文字からなる文字列により構成される。
【００６６】
輪郭部８は、格子形状と文字列状標識部７とがＤ２＝４ｍｍ以上離間するように設けられる。
【００６７】
このように輪郭部６、８の寸法関係を設定する効果については後述する。
【００６８】
図１１は、使用後のフィルター構造体の外観を示す背面図である。同図を参照して、フィルター構造体を対象物に貼り付けて、使用を継続すると、粘着剤が塗布されていない部分（以下「非粘着部」）には通気性があるため、フィルター本体の非粘着部には汚れが付着し、その部分が黒く変色していく。一方、フィルター本体において粘着剤が塗布された部分（以下「粘着部」）には汚れが付着しにくくなるため、その部分が白く浮き上がる。特に上述したハート形状標識部６はそのハート形状が白く浮き上がり、文字列状標識部７は、“とりかえてネ”の文字列が浮き上がる。これにより、ユーザーに対して、フィルター構造体が取り換え時期であることが示される。尚、フィルター本体の粘着部に汚れが付着しにくくなる理由は、以下のように推察される。換気口に貼り付けられたフィルター構造体１のフィルター本体２を空気（ホコリ汚れを含む）が通過する際、粘着部は空気が通気しないために、空気は粘着部を避けるようにして非粘着部に流れていく。その結果、フィルター本体の粘着部には汚れが付着しにくくなると推察される。
【００６９】
ここで、非粘着部の幅と汚れの付着し易さの関係について説明すると次の通りである。
【００７０】
図１２は、非粘着部の幅と汚れの付着し易さの関係について説明する模式図であり、（ａ）は、非粘着部の幅を４ｍｍ以上に設定した場合を示し、（ｂ）は、非粘着部の幅を４ｍｍ未満に設定した場合を示す。
【００７１】
尚、以下の説明では、粘着部４１ａ（格子部に対応）と非粘着部４２（輪郭部に対応）を介して設けられる別の粘着部４１ｂとの間の距離のうち最小の幅を輪郭部の幅Ｄ３（幅Ｄ１、Ｄ２に対応）と称する。
【００７２】
同図の（ａ）を参照して、上述の通り、粘着剤が塗布された粘着部４１ａ、４１ｂには汚れが付着しにくい傾向があるが、非粘着部４２の幅Ｄ３を４ｍｍ以上に設定した場合、粘着部４１ａ、４１ｂの間を十分に離間させることができるため、その間の非粘着部４２に埃汚れ５０が付着し易くなり、すなわち非粘着部４２におけるフィルター本体の埃汚れ捕捉機能が発揮され易くなる。これにより、使用を継続することで、非粘着部４２に埃汚れが累積的に付着し、上述したような標識部等の被粘着部４２が黒く変色していくように見える。
【００７３】
これに対して、同図の（ｂ）を参照して、輪郭部の幅Ｄ１００を４ｍｍ未満に設定した場合、粘着剤の影響により、輪郭部におけるフィルター本体の埃汚れ捕捉機能が発揮されにくくなり、その部分の埃汚れが付着しにくくなる。使用を継続しても、その部分がなかなか黒く変色しなかったり、ほとんど黒く変色しなかったりする虞がある。このような構成では、上述したような標識部が浮き上がりにくくなる可能性がある。
【００７４】
尚、上記の実施の形態では、フィルター構造体の各部を特定の寸法に設定することを説明したがこれに限られない。
【００７５】
又、９つの区画の第１方向幅は、中心側Ｗ１３、外方側Ｗ１１及び真ん中Ｗ１２の順で大きくなるように設定され、且つ、９つの区画の第２方向幅は、中心側Ｗ２３、外方側Ｗ２１及び真ん中Ｗ２２の順で大きくなるように設定されていたがこれに限られない。
【００７６】
９つの区画の第１方向幅及び第２方向幅の少なくとも一方が、上述のような寸法に設定されていればよい。
【００７７】
例えば、９つの区画の第２方向幅が、外方側Ｗ２１、真ん中Ｗ２２及びフィルター本体２の中心側Ｗ２３について、それぞれ、上述の通り、３８．０ｍｍ、４２．０ｍｍ及び３５．５ｍｍに設定されている一方で、９つの区画の第１方向幅は、外方側Ｗ１１、真ん中Ｗ１２及びフィルター本体２の中心側Ｗ１３について、それぞれ、３５．５ｍｍ、４２．０ｍｍ及び３８．０ｍｍに設定されていてもよい。又、この逆もまた同様である。
【００７８】
更に、各方向における幅は、真ん中が最も大きく又は最も小さく設定されると共に、中心側と外側とが異なるように設定することも可能である。
【００７９】
更に、上記の実施の形態では、フィルター本体が不織布で構成されることを説明したがこれに限られない。フィルター本体は、通過する気体をろ過する機能を有する部材により構成することができる。
【００８０】
更に、上記の実施の形態では、フィルター本体の形状は、正方形状であったが、これに限られず、直角四角形状であっても構わない。
【００８１】
更に、上記の実施の形態では特に説明しなかったが、格子部は完全に連続した帯状でなくてもよく、破線状であったり、上述したように輪郭部を介して標識部が重なり合うように形成されていてもよい。
【００８２】
更に、上記の実施の形態では、２区画、３区画及び４区画で切り取るパターンとして特定のものを説明したが、これに限られない。任意のパターンで切り取ることが可能である。
【００８３】
更に、上記の実施の形態では、標識部として特定の形状を有するもの、すなわち、ハート形状を有するハート形状標識部や、文字列からなる文字列状標識部を説明したが、これらに限られない。標識部は、フィルター構造体の取り換え時期を示す標識状に粘着剤が塗布されたものであればよい。
【００８４】
更に、上記の実施の形態では、非粘着部（輪郭部）の幅を４ｍｍ以上に設定することを説明したが、埃汚れ捕捉機能向上のためには、その幅を５ｍｍ以上に設定することがより好ましい。
【００８５】
更に、上記の実施の形態では、格子部を備える構成について説明したが、別の側面から言えばこの構成は必須ではないと言える。
【００８６】
このためフィルター構造体は以下のようにも表現できる。すなわち、フィルター構造体は、一部を切り取ったものを又は全部を対象物に貼着して、通過する気体をろ過するためのフィルター構造体であって、シート状に形成されるフィルター本体と、上記フィルター本体の一方面の一部において粘着剤が塗布されてなる粘着部と、フィルター構造体の取り換え時期を示す標識状に粘着剤が塗布された標識部と上記粘着部と上記標識部との間に４ｍｍ以上の幅で設けられ、粘着剤が塗布されていない非粘着部とを備えるものである。
【符号の説明】
【００８７】
１…フィルター構造体
２…フィルター本体
３…粘着部
５…ハート形状標識部
７…文字列状標識部
６、８…輪郭部
３１…第１の格子部
３２…第２の格子部
３３…第３の格子部
３４…第４の格子部
４１…粘着部
４２…非粘着部
Ｒ１…第１領域
Ｒ２…第２領域
Ｒ３…第３領域
Ｒ４…第４領域
尚、各図中同一符号は同一又は相当部分を示す。
【図１】
2020116581.tif 000003
【図２】
2020116581.tif 000004
【図３】
2020116581.tif 000005
【図４】
2020116581.tif 000006
【図５】
2020116581.tif 000007
【図６】
2020116581.tif 000008
【図７】
2020116581.tif 000009
【図８】
2020116581.tif 000010
【図９】
2020116581.tif 000011
【図１０】
2020116581.tif 000012
【図１１】
2020116581.tif 000013
【図１２】
2020116581.tif 000014
【図１３】
2020116581.tif 000015
【手続補正書】
【提出日】令和2年6月10日(2020.6.10)
【手続補正１】
【補正対象書類名】明細書
【補正対象項目名】００１０
【補正方法】削除
【補正の内容】
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
上記の目的を達成するために、請求項１記載の発明は、一部を切り取ったものを又は全部を対象物に貼着して、通過する気体をろ過するためのフィルター構造体であって、シート状に形成されるフィルター本体と、フィルター本体の一方面の一部において粘着剤が塗布されてなる粘着部と、フィルター構造体の取り換え時期を示す標識状に粘着剤が塗布された標識部と、粘着部と標識部との間に４ｍｍ以上の幅で設けられ、粘着剤が塗布されていない非粘着部とを備えるものである。
【手続補正８】
【補正対象書類名】明細書
【補正対象項目名】００１７
【補正方法】変更
【補正の内容】
【００１７】
このように構成すると、使用に応じて標識部の周囲に埃汚れが付着し易くなる。
請求項２記載の発明は、請求項１記載の発明の構成において、前記標識部は、文字列状のものを含むものである。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】変更
【補正の内容】
【００２１】
以上説明したように、請求項４記載の発明は、使用に応じて標識部の周囲に埃汚れが付着し易くなるので、使用が進むと標識部が埃や油によって浮き上がり易くなり、フィルター構造体の取り換え時期を示すことができる。
【手続補正１３】
【補正対象書類名】特許請求の範囲
【補正対象項目名】全文
【補正方法】変更
【補正の内容】
【特許請求の範囲】
【請求項１】
一部を切り取ったものを又は全部を対象物に貼着して、通過する気体をろ過するためのフィルター構造体であって、
シート状に形成されるフィルター本体と、
前記フィルター本体の一方面の一部において粘着剤が塗布されてなる粘着部と、
フィルター構造体の取り換え時期を示す標識状に粘着剤が塗布された標識部と、
前記粘着部と前記標識部との間に４ｍｍ以上の幅で設けられ、粘着剤が塗布されていない非粘着部とを備える、フィルター構造体。
【請求項２】
前記標識部は、文字列状のものを含む、請求項１記載のフィルター構造体。